(57)【要約】【課題】  送信出力信号の位相を制御する位相制御ループと、振幅を制御する振幅制御ループを有する変調器を備えた無線通信装置の送信時効率を向上させる。【解決手段】  位相および振幅の制御を行う変調器１０９を備えた無線通信装置にて、位相および振幅を制御するために変調器１０９にフィードバックする電力増幅回路１０３出力の送信信号出力レベルを、カプラ１０２の検波回路を用いずに受信回路に発生する送信出力信号漏洩レベル４０１にて検波する構成にする。これによりカプラ１０２を削除できるとともに、カプラ１０２にて損失する電力損失を改善でき、携帯電話の場合は通話時間を延ばすことができる。【選択図】図１
2006108968.tif 000002
【特許請求の範囲】
【請求項１】
電力増幅回路から出力される送信出力信号の位相を制御する位相制御ループと、前記電力増幅回路から出力される送信出力信号の振幅を制御する振幅制御ループとを有する変調器を備え、位相および振幅を制御するために前記位相制御ループおよび振幅制御ループにフィードバックする送信出力信号レベルの検波を前記無線通信装置の受信回路にて行うことを特徴とする無線通信装置。
【請求項２】
前記無線通信装置が通信システム上で送信出力信号レベルを切り替える機能を有し、前記無線通信装置が前記送信出力信号レベルを切り替えたとき、前記切り替え後の出力レベルに応じて、前記無線通信装置の受信回路で検波し前記位相制御ループおよび前記振幅制御ループにフィードバックする送信出力信号のレベルを一定レベルに保持するよう構成されていることを特徴とする請求項１の無線通信装置。
【請求項３】
前記複数の周波数バンド対応の無線通信装置にて、前記送信出力信号レベルを検波する受信回路が複数の周波数バンド間で共有できることを特徴とする請求項１または請求項２記載の無線通信装置。
【請求項４】
前記無線通信装置にて、受信回路前段のバンドパスフィルタの送信周波数帯の周波数特性に合わせて、前記無線通信装置の受信回路で検波し前記位相制御ループおよび前記振幅制御ループにフィードバックする送信出力信号レベルを、前記無線通信装置が送信する送信周波数帯域内で一定レベルに制御するよう構成されていることを特徴とする請求項１から請求項３のいずれかに記載の無線通信装置。
【発明の詳細な説明】
【技術分野】
【０００１】
本発明は、位相および振幅変調のための位相制御ループおよび振幅制御ループを有する無線通信装置などに用いる電力増幅回路の効率を向上させる技術に関する。
【背景技術】
【０００２】
近年、携帯電話機等の無線通信装置（移動体通信装置）の方式の一つに、欧州で採用されているＧＳＭ（Global System for Mobile Communication）方式のデータ伝送速度を拡張させたＥＤＧＥ（Enhanced Data Rates for GSM Evolution）方式が提案されている。この方式は８−ＰＳＫ変調を採用し、この変調方式の実現方法としては、送信する信号を位相成分と振幅成分に分離した後、位相制御ループと振幅制御ループでそれぞれフィードバックをかけアンプで合成して出力するように構成したポーラーループ方式が知られている。（例えば、特許文献１参照）
【０００３】
このポーラーループ方式によれば、無線通信装置の変調器出力に接続される電力増幅回路にて発生する振幅歪みによる変調精度の劣化を、電力増幅回路出力からのフィードバックさせる送信出力信号と変調器出力から送信出力される信号とを比較し補正することにより改善し、良好な変調精度を得ることができる。
【特許文献１】特開２００４−７４４３号公報
【発明の開示】
【発明が解決しようとする課題】
【０００４】
しかしながら、特許文献１記載の無線通信装置は、電力増幅回路出力にて送信信号を検波するためにカプラを使用しており、カプラ内を送信出力信号が通過した際に発生する電力損失が無線通信装置の送信回路の効率を劣化させ、携帯電話の場合は通話時間を短縮してしまうという問題があった。
【０００５】
本発明は、このような従来の問題を解決するためになされたものであり、位相および振幅を制御するためにフィードバックする送信出力信号レベルの検波を、カプラを用いずに無線通信装置の受信回路にて行うことにより、送信回路の効率劣化を低減することができる無線通信装置を提供することを目的とするものである。
【課題を解決するための手段】
【０００６】
本発明の請求項１記載の無線通信装置は、電力増幅回路から出力される送信出力信号の位相を制御する位相制御ループと、前記電力増幅回路から出力される送信出力信号の振幅を制御する振幅制御ループとを有する変調器を備え、位相および振幅を制御するために前記位相制御ループおよび振幅制御ループにフィードバックする送信出力信号レベルの検波を前記無線通信装置の受信回路にて行う構成を有している。
【０００７】
この構成により、位相および振幅を制御するために前記位相制御ループおよび振幅制御ループにフィードバックさせる、前記電力増幅回路から出力される送信出力信号レベルを、前記電力増幅回路とアンテナスイッチ間に検波回路を用いないで検波することができるため、前記検波回路にて損失する電力ロスを改善でき、携帯電話の場合は通話時間を延ばすことができる。
【０００８】
また本発明の請求項２記載の無線通信装置は、無線通信装置が通信システム上で送信出力信号レベルを切り替える機能を有し、前記無線通信装置が前記送信出力信号レベルを切り替えたとき、前記切り替え後の出力レベルに応じて、前記無線通信装置の受信回路で検波し前記位相制御ループおよび前記振幅制御ループにフィードバックする送信出力信号のレベルを一定レベルに保持するよう構成を有している。
【０００９】
この構成により、通信システム上で送信出力レベルに対し広いダイナミックレンジを必要とするＧＳＭ方式のような通信システム下においても、無線通信装置内の位相制御ループおよび振幅制御ループ回路に対し、一定レベルの送信出力信号をフィードバックできるので、位相制御ループおよび振幅制御ループを安定に動作させることができる。
【００１０】
また本発明の請求項３記載の無線通信装置は、複数の周波数バンド対応の無線通信装置にて、送信出力信号レベルを検波する受信回路が複数の周波数バンド間で共有できる構成を有している。
【００１１】
この構成により、各周波数バンドにて送信出力信号レベルを検波するために必要な受信回路を共有できるため、回路規模を削減することができる。
【００１２】
また本発明の請求項４記載の無線通信装置は、受信回路前段のバンドパスフィルタの送信周波数帯の周波数特性に合わせて、無線通信装置の受信回路で検波し位相制御ループおよび振幅制御ループにフィードバックする送信出力信号レベルを、前記無線通信装置が送信する送信周波数帯域内で一定レベルに制御する構成を有している。
【００１３】
この構成により、バンドパスフィルタの送信周波数帯域の周波数特性が発生しても、位相制御ループおよび振幅制御ループにフィードバックする送信出力信号レベルを一定に保つことができるので、位相制御ループおよび振幅制御ループを安定に動作させることができる。
【発明の効果】
【００１４】
本発明の無線通信装置は、アンテナスイッチ検波回路にて損失する電力ロスを改善でき、無線通信装置が携帯電話の場合は通話時間を延ばすことができる。
【発明を実施するための最良の形態】
【００１５】
以下、本発明の実施の形態について図面を用いて説明する。
【００１６】
（第１の実施の形態）
始めに図５にＧＳＭ方式およびＥＤＧＥ方式に対応するポーラーループ方式無線通信装置の一実施例の概略ブロック図を示す。
【００１７】
図５において、符号１００はＧＳＭ方式におけるＧＭＳＫ変調やＥＤＧＥ方式における８−ＰＳＫ変調、およびＧＳＭ、ＥＤＧＥ方式の受信を行うことができる変復調回路である。アンテナスイッチ１０１はＧＳＭ方式のようなＴＤＭＡ（Time Domain Multiple access）動作を行う通信システムにおいて、時分割に無線通信装置が送信あるいは受信モードに切り替わった時に、そのタイミングに合わせて送受信のポート切り替えを行うスイッチである。
【００１８】
カプラ１０２は電力増幅回路１０３から出力される位相成分および振幅成分を持った送信出力信号の検波を行う。電力増幅回路１０３は変復調回路１００の変調回路から出力される信号を増幅する回路である。バンドパスフィルタ（以下、ＢＰＦ）２０１はアンテナより電波を受信する際、妨害波となる信号を減衰させるものである。
【００１９】
次に変復調回路１００の内部回路について説明する。変調器１０９は、ベースバンド部３００より出力されるＧＭＳＫ変調あるいは８−ＰＳＫ変調の送信Ｉ、Ｑ信号を中間周波数帯用の電圧制御発振器（以下、ＩＦ−ＶＣＯ）１１１の出力信号を分周器１１０で分周した信号とミキシングし、変調波を生成する回路である。
【００２０】
位相検出器１０７は変調器１０９より出力されたＧＭＳＫ変調、あるいは変調器１０９より出力されリミッタ１０８より位相成分のみ分離された８−ＰＳＫ変調の信号と、電力増幅回路１０３より出力され、カプラ１０２より検波された後ミキサ１１６と無線周波数帯用の電圧制御発振器（以下、ＲＦ−ＶＣＯ１１７）より変調器１０９と同周波数のＩＦ周波数帯にダウンコンバートされたＧＭＳＫ変調、あるいはリミッタ１１５より位相成分のみ分離された８−ＰＳＫ変調の、送信出力信号の位相とを比較し、これら２つの信号の位相差に応じた電圧を出力する回路である。
【００２１】
送信用の電圧制御発振器（以下、ＴＸ−ＶＣＯ）１０５は位相検出器１０７より出力され、ローパスフィルタ（以下、ＬＰＦ）１０６より整流されたＤＣ電圧値に応じて所望の送信周波数を出力する回路である。エラーアンプ１１３は、振幅検出器１１２より検出された変調器１０９出力の８−ＰＳＫ変調信号の振幅成分と、電力増幅回路１０３より出力され、カプラ１０２より検波された後ミキサ１１６およびＲＦ−ＶＣＯ１１７より変調器１０９と同周波数のＩＦ周波数帯にダウンコンバートされ、位相検出器１１４より検出された送信出力信号の振幅成分とを比較する回路である。
【００２２】
振幅変調器１０４はＴＸ−ＶＣＯ１０５より出力された位相成分を持つ送信信号に、エラーアンプ１１３より出力された振幅成分をミキシングし、位相成分と振幅成分を持った８−ＰＳＫ変調の送信信号を出力する回路である。
【００２３】
ローノイズアンプ（以下、ＬＮＡ）２０２はアンテナにて受信した所望の電波を増幅するものである。ミキサ２０３、２０４は受信した電波とＲＦ−ＶＣＯ１１７の出力信号を分周器２０９で分周した信号とをミキシングし、Ｉ，Ｑを復調する回路である。フィルタ２０５、２０６はミキサ２０３、２０４にて復調した受信Ｉ，Ｑのベースバンド帯域のフィルタである。アンプ２０７、２０８は復調した受信Ｉ，Ｑを増幅するアンプである。
【００２４】
次に図１に本発明第１の実施の形態における無線通信装置の概略ブロック図を示す。
【００２５】
本発明の第１の実施の形態における無線通信装置は、図１に示すように符号１００はＧＳＭ方式におけるＧＭＳＫ変調やＥＤＧＥ方式における８−ＰＳＫ変調、およびＧＳＭ、ＥＤＧＥ方式の受信を行うことができる変復調回路である。
【００２６】
アンテナスイッチ１０１はＧＳＭ方式のようなＴＤＭＡ（Time Domain Multiple Access）動作を行う通信システムにおいて、時分割に無線通信装置が送信あるいは受信モードに切り替わった時に、そのタイミングに合わせて送受信のポート切り替えを行うスイッチである。
【００２７】
電力増幅回路１０３は復調回路１００の変調回路から出力される信号を増幅する回路である。ＢＰＦ２０１はアンテナより電波を受信する際、妨害波となる信号を減衰させるバンドパスフィルタである。
【００２８】
次に変復調回路１００の内部回路について説明する。変調器１０９は、ベースバンド部３００より出力されるＧＭＳＫ変調あるいは８−ＰＳＫ変調の送信Ｉ，Ｑ信号をＩＦ−ＶＣＯ１１１の出力信号を分周器１１０で分周した信号とミキシングし、変調波を生成する回路である。
【００２９】
位相検出器１０７は変調器１０９より出力されたＧＭＳＫ変調、あるいは変調器１０９より出力されリミッタ１０８より位相成分のみ分離された８−ＰＳＫ変調の信号と、ＢＰＦ２０１を介して受信回路で検波されミキサ１１６およびＲＦ−ＶＣＯ１１７より変調器１０９と同周波数のＩＦ周波数帯にダウンコンバートされたＧＭＳＫ変調、あるいはリミッタ１１５より位相成分のみ分離された８−ＰＳＫ変調の、送信出力信号漏洩レベル４０１の位相とを比較し、２つの信号の位相差に応じた電圧を出力する回路である。
【００３０】
ＴＸ−ＶＣＯ１０５は位相検出器１０７より出力され、ＬＰＦ１０６より整流されたＤＣ電圧値に応じて所望の送信周波数を出力する回路である。エラーアンプ１１３は、振幅検出器１１２より検出された変調器１０９出力の８−ＰＳＫ変調信号の振幅成分と、ＢＰＦ２０１を介して受信回路で検波されミキサ１１６とＲＦ−ＶＣＯ１１７よりと同周波数のＩＦ周波数帯にダウンコンバートされた後位相検出器１１４より検出される送信出力信号漏洩レベル４０１の振幅成分とを比較する回路である。
【００３１】
振幅変調器１０４はＴＸ−ＶＣＯ１０５より出力された位相成分を持つ送信信号に、エラーアンプ１１３より出力された振幅成分をミキシングし、位相成分と振幅成分を持った８−ＰＳＫ変調の送信信号を出力する回路である。
【００３２】
ＬＮＡ２０２はアンテナにて受信した所望の電波を増幅するものである。ミキサ２０３、２０４は受信した電波とＲＦ−ＶＣＯ１１７の出力信号を分周器２０９で分周した信号とをミキシングし、Ｉ，Ｑを復調する回路である。フィルタ２０５、２０６はミキサ２０３、２０４にて復調した受信Ｉ，Ｑのベースバンド帯域のフィルタである。アンプ２０７、２０８は復調した受信Ｉ，Ｑを増幅するアンプである。
【００３３】
次に、本実施の形態における無線通信装置について、その動作を、図１を用いて詳細に説明する。
【００３４】
図１に示すように、ＥＤＧＥ方式に対応するポーラーループ方式は、変調器１０９から出力される位相および振幅成分を持った信号と、電力増幅器１０３から出力される位相および振幅成分を持った送信出力信号の位相および振幅とを位相検出器１０７およびエラーアンプ１１３で比較し、電力増幅回路１０３の歪みにより発生した振幅歪みを補正する回路で構成されている。
【００３５】
これにより、同じようにＥＤＧＥ方式に対応する直交変調方式に比較して同等の変調精度を実現しながら、フィードバック回路構成を用いることにより、より効率の良い飽和領域に近い動作点で電力増幅器を動作させることが可能となり、携帯電話の場合は通話時間を改善できるメリットがある。
【００３６】
動作として、ベースバンド部３００より出力された送信Ｉ，Ｑ信号により位相および振幅変調され、変調器１０９より出力された送信信号は、リミッタ１０８および振幅検出器１１２より位相成分、振幅成分に分離される。また上記とは別に電力増幅器１０３より出力された送信出力信号は、図５のカプラ１０２による検波ではなく、アンテナスイッチ１０１およびＢＰＦ２０１を介して、送信出力信号漏洩レベル４０１として受信回路へ入力された後検波され、ＲＦ−ＶＣＯの周波数とミキサ１１６によりミキシングされ変調器１０９の出力信号と同一の周波数にダウンコンバートされた後、リミッタ１１５および振幅検出器１１４より位相成分、振幅成分に分離される。
【００３７】
その後、位相成分に分離された変調器１０９出力の信号および電力増幅器１０３出力の信号は、位相検出器１０７により比較され、変調器１０９出力の信号および電力増幅器１０３出力の信号の位相差に応じた電圧が位相検出器１０７より出力され、ＬＰＦ１０６にてＤＣ電圧に整流された後、ＴＸ−ＶＣＯ１０５に入力される。
【００３８】
ＴＸ−ＶＣＯ１０５はＤＣ電圧に対応した送信周波数を出力し、送信信号は振幅増幅器１０４へ入力される。
【００３９】
位相成分とは別に、振幅成分に分離された変調器１０９出力の信号および電力増幅器１０３出力の信号は、エラーアンプ１１３にて比較され、の信号および電力増幅器１０３出力の信号の振幅差に応じた電圧がエラーアンプ１１３より出力され、振幅変調器１０４へ入力される。
【００４０】
振幅変調器１０４はエラーアンプより出力された電圧に対応して、ＴＸ−ＶＣＯ１０５から入力された送信信号の振幅を変化させる。
【００４１】
従って振幅変調器１０４出力では電力増幅器１０３にて発生した振幅歪み成分がエラーアンプにより逆補正されるため、効率の良い飽和領域に近い動作点で電力増幅器を動作させても良好な変調精度を実現できることとなる。
【００４２】
このように本実施の形態における無線通信装置によれば、カプラ１０２を用いて位相および振幅を制御するための電力増幅器１０３出力の送信出力信号を検波する必要が無くなるためカプラを削除することが可能となる。
【００４３】
またカプラ１０２を用いないため、送信出力信号がカプラ１０２を通過した際に発生する電力ロスを削減することができるので、無線通信装置の送信回路の効率を改善することができる。
【００４４】
（第２の実施の形態）
次に図２に本発明第２の実施の形態における無線通信装置の概略ブロック図を示す。
【００４５】
図２において、図１と同一の番号を付したものは、図１に示すものと同一のものを示している。したがって、これらのものについては、その詳細な説明を省略し、異なる点のみを説明する。
【００４６】
本発明の第２の実施の形態における無線通信装置では、図２に示すように送信出力信号漏洩レベル４０１は、無線通信装置が送信動作時にアンテナスイッチ１０１を介して受信回路に入力される電力増幅回路１０３出力の送信出力信号レベルであり、レベル補正回路２１０は、通信システム上で送信出力信号レベルの切り替えを行うことが可能な無線通信装置が、ベースバンド３００から出力される出力レベル切り替え信号（Ｖａｐｃ）３０１で電力増幅回路１０３から出力される送信出力信号レベルを切り替えた際、切り替えられた送信出力信号レベルに応じて、ミキサ１１６に入力する送信出力信号レベルを可変する回路である。尚、レベル補正回路２１０は出力レベル切り替え信号３０１で出力レベルを制御できるように構成されている。
【００４７】
次に本実施の形態における無線通信装置について、その動作を、図２を用いて説明する。
【００４８】
図２に示すように、例えば携帯電話のように移動体通信システムで使用される無線通信装置では、通信を行う基地局との距離に合わせて無線通信装置のアンテナから出力される送信出力信号レベルが切り替えられる。送信出力信号レベルの切り替えは、ベースバンド３００から出力される出力レベル切り替え信号（Ｖａｐｃ）３０１で電力増幅回路１０３の送信出力信号レベルを切り替えて行う。ここで送信出力信号レベルの切り替えが行われ、送信出力信号レベルが低いレベルに切り替えられた場合、位相および振幅を制御するために受信回路で検波される送信出力信号漏洩レベル４０１は低いレベルになる。逆に送信出力信号レベルが高いレベルに切り替えられた場合、位相および振幅を制御するために受信回路で検波される送信出力信号漏洩レベル４０１は高いレベルになる。この時出力レベル切り替え信号（Ｖａｐｃ）３０１は電力増幅回路１０３と同時にレベル補正回路２１０に入力され、レベル補正回路２１０は位相および振幅を制御するために位相制御ループおよび振幅制御ループへフィードバックする、つまりはミキサ１１６へ入力する送信出力信号漏洩レベル４０１を出力レベル切り替え信号（Ｖａｐｃ）３０１をもとに一定レベルに保持する動作をする。
【００４９】
このように本実施の形態における無線通信装置によれば、携帯電話のような移動体通信システムにて、通信を行う基地局との距離に合わせて無線通信装置のアンテナから出力される送信出力信号レベルが切り替えられた際、受信回路で検波する送信出力信号漏洩レベル４０１が変化しても、位相制御ループおよび振幅制御ループにフィードバックする送信出力信号レベルは、レベル補正回路２１０より一定のレベルに保持されるため、通信システム上で送信出力レベルに対し広いダイナミックレンジを必要とするＧＳＭ方式のような通信システム下においても、無線通信装置内の位相制御ループおよび振幅制御ループ回路に対し一定レベルの送信出力信号をフィードバックすることができ、位相制御ループおよび振幅制御ループを安定に動作させることができる。
【００５０】
（第３の実施の形態）
次に図３に本発明第３の実施の形態における無線通信装置の概略ブロック図を示す。
【００５１】
図３において、図１、図２と同一の番号を付したものは、図１、図２に示すものと同一のものを示している。したがって、これらのものについては、その詳細な説明を省略し、異なる点のみを説明する。
【００５２】
本発明の第３の実施の形態における無線通信装置では、図３に示すように無線通信装置が複数の周波数バンドで送受信することが可能であり、図３では一例として３つのバンドの周波数に対応できるよう構成されている。尚図３の例では３つの周波数バンドに対応するために、３つの受信回路と１つの送信回路で構成されているが、送信回路は受信回路のように複数で構成されることもある。各々の受信回路の構成は図１および図２に示したの１周波数バンドの受信回路の構成と同じ構成であり、したがって、これらのものについても、その詳細な説明を省略する。
【００５３】
次に本実施の形態における無線通信装置について、その動作を、図３を用いて説明する。
【００５４】
図３に示すように、例えばＧＳＭ方式のような移動体通信システムで使用される無線通信装置では、世界各国で通信ができるようＥＧＳＭ（Extended Global System for Mobile Communication）、ＤＣＳ（Digital Communication System）、ＰＣＳ（Personal Communication Services）のように周波数バンドが異なる受信回路が無線通信装置内に設けられ、無線通信装置を使用する地域に合わせて使用する周波数バンドの切り替えが行われる。
【００５５】
この時、位相および振幅を制御するためにフィードバックする送信出力信号レベルの検波は受信回路にて行うが、上記のように３つの周波数バンドに対応する場合、検波回路は３つ必要となる。しかしながら、ＤＣＳ、ＰＣＳバンドのように、各々のバンドの送信周波数が近い周波数である場合には、本来ならばＢＰＦ２２１を介して検波される送信出力信号漏洩レベル４０３は、アンテナスイッチ１０１を介してＢＰＦ２１１側へも漏洩する送信出力信号漏洩レベル４０３ａでも検波可能なため、したがって送信出力信号漏洩レベル４０３ａはＬＮＡ２１２前段に接続されるレベル補正回路２２０で検波できることとなる。
【００５６】
このように本実施の形態における無線通信装置によれば、ＧＳＭ方式のような移動体通信システムにおいて、送信出力信号レベルを検波する受信回路が複数のバンド間で共有することができるため、検波回路を削減することができ、回路を簡略化することができる。
【００５７】
（第４の実施の形態）
次に図４に本発明第４の実施の形態における無線通信装置の概略ブロック図を示す。
【００５８】
図４において、図１、図２、図３と同一の番号を付したものは、図１、図２、図３に示すものと同一のものを示している。したがって、これらのものについては、その詳細な説明を省略し、異なる点のみを説明する。
【００５９】
本発明の第４の実施の形態における無線通信装置では、図４に示すようにレベル検出回路２３０、２３１はＢＰＦ２０１、２１１を通った後の送信出力信号漏洩レベル４０１、４０２、４０３ａを検出する回路である。送信信号検出レベル４０４、４０５は、ベースバンド３００に対するレベル検出回路２３０、２３１で検出した各々の周波数バンド内での送信出力信号漏洩レベルの報告値である。周波数特性補正信号３０２、３０３は送信信号検出レベル４０４、４０５をもとにベースバンド３００にて算出された周波数バンド内での送信出力信号漏洩レベル４０１あるいは４０２あるいは４０３ａの周波数特性を補正する信号であり、周波数特性補正回路２３２、２３３は周波数特性補正信号３０２、３０３にて各々の周波数バンド内で発生する送信出力信号漏洩レベルの周波数特性を補正する回路である。
【００６０】
次に本実施の形態における無線通信装置について、その動作を、図４を用いて説明する。
【００６１】
図４に示すように、本実施の形態における無線通信装置は、例えばＧＳＭ方式のような移動体通信システムで通信動作を行っているとき、受信回路にて送信動作時の送信出力漏洩レベル４０１あるいは４０２あるいは４０３ａを検波し、位相制御ループおよび振幅制御ループに送信出力信号をフィードバックする。この時送信出力漏洩レベル４０１、４０２、又は４０３ａは受信回路の前段に接続されているＢＰＦ２０１あるいは２１１を介して受信回路に入力される。その際ＢＰＦ２０１あるいは２１１で生じる各々の周波数バンド内での送信周波数帯域の送信出力漏洩レベルの周波数特性を、レベル検出回路２３０、２３１で検波し、検波した結果を送信信号検出レベル４０４、４０５にてベースバンド部３００に報告する。ベースバンド３００は送信信号検出レベル４０４、４０５をもとに、送信周波数帯域での送信出力漏洩レベル４０１、４０２、又は４０３ａの周波数特性を算出し、周波数バンド内で送信周波数が切り替わった時に算出結果を周波数特性補正信号３０２、３０３にて周波数特性補正回路２３２、２３３に出力する。周波数特性補正回路２３２、２３３は周波数特性補正信号３０２、３０３をもとに、レベル補正回路２１０、２２０に入力される送信出力漏洩レベル４０１、４０２、又は４０３ａの送信周波数帯域内でのレベルの周波数特性を補正し、位相および振幅を制御するために位相制御ループおよび振幅制御ループへフィードバックする、つまりはミキサ１１６へ入力する送信出力信号漏洩レベルを一定レベルに保持する動作をする。
【００６２】
このように本実施の形態における無線通信装置によれば、受信回路で検波した送信出力信号漏洩レベル４０１、４０２、又は４０３ａがＢＰＦ２０１あるいは２１１の送信周波数帯域の周波数特性により変化しても、位相制御ループおよび振幅制御ループにフィードバックする送信出力信号レベルは、一定のレベルに保持されるため、位相制御ループおよび振幅制御ループを安定に動作させることができる。
【００６３】
尚、本実施の形態では無線通信装置が通信システム上で動作している時に、リアルタイムで送信出力漏洩レベルを検波し、周波数バンド内での送信周波数帯域の送信出力漏洩レベルの周波数特性を算出し、周波数帯域内で位相制御ループおよび振幅制御ループにフィードバックする送信出力信号レベルを一定にするよう補正をかけているが、送信出力漏洩レベルの周波数特性の補正は、例えば工場出荷時の事前調整にて算出しメモリに補正値を格納させ、通信システム上で動作し送信周波数切り替えが行われた際、事前調整にて算出された周波数特性補正信号３０２、３０３を読み出しても良く、このようにすればリアルタイムに補正値を算出する際のベースバンドの処理負荷を軽減することができる。
【産業上の利用可能性】
【００６４】
本発明の無線通信装置は、アンテナスイッチ検波回路にて損失する電力ロスを改善できる効果を有し、携帯電話などに有用である。
【図面の簡単な説明】
【００６５】
【図１】本発明の第１の実施の形態における無線通信装置の概略ブロック図
【図２】本発明の第２の実施の形態における無線通信装置の概略ブロック図
【図３】本発明の第３の実施の形態における無線通信装置の概略ブロック図
【図４】本発明の第４の実施の形態における無線通信装置の概略ブロック図
【図５】従来の無線通信装置の概略ブロック図
【符号の説明】
【００６６】
１００  変復調回路
１０１  アンテナスイッチ
１０２  カプラ
１０３  電力増幅回路
１０４  振幅変調器
１０５  送信用の電圧制御発振器
１０６  ローパスフィルタ
１０７  位相検出器
１０８、１１５  リミッタ
１０９  変調器
１１０  分周器
１１１  中間周波数帯用の電圧制御発振器
１１２、１１４  振幅検出器
１１３  エラーアンプ
１１６  ミキサ
１１７  無線周波数帯用の電圧制御発振器
２０１、２１１、２２１  バンドパスフィルタ
２０２、２１２、２２２  ローノイズアンプ
２０３、２０４、２１３、２１４、２２３、２２４  ミキサ
２０５、２０６、２１５、２１６、２２５、２２６  フィルタ
２０７、２０８、２１７、２１８、２２７、２２８  アンプ
２０９、２１９、２２９  分周器
２１０、２２０  レベル補正回路
２３０、２３１  レベル検出回路
２３２、２３３  周波数特性補正回路
３００  ベースバンド部
【図１】
2006108968.tif 000003
【図２】
2006108968.tif 000004
【図３】
2006108968.tif 000005
【図４】
2006108968.tif 000006
【図５】
2006108968.tif 000007